(57)【要約】【課題】  簡易な構成により流動体の汲み上げを容易且つ確実に行うことができる汲み上げ容器を提供する。【解決手段】  底部を有する容器本体１０と、容器本体１０を吊り下げ支持するための支持部２０とを備え、容器本体１０は、底部１２に導入口１５が形成されており、内部から導入口１５を覆うように、弾性変形可能なシート状の弁体１３が設けられている汲み上げ容器１である。【選択図】  図３
2018042467.tif 000002
【特許請求の範囲】
【請求項１】
底部を有する容器本体と、
前記容器本体を吊り下げ支持するための支持部とを備え、
前記容器本体は、底部に導入口が形成されており、内部から前記導入口を覆うように、弾性変形可能なシート状の弁体が設けられている汲み上げ容器。
【請求項２】
前記弁体は、円板状に形成され、中心部が前記容器本体の底部に固定されており、
前記導入口は、前記弁体の中心部の周囲に複数配置されている請求項１に記載の汲み上げ容器。
【請求項３】
前記容器本体は、蓋体を備えており、
前記蓋体は、排出口が形成され、外部から前記排出口を覆うように、弾性変形可能なシート状の弁体が設けられている請求項１または２に記載の汲み上げ容器。
【発明の詳細な説明】
【技術分野】
【０００１】
本発明は、流動体の汲み上げに使用される汲み上げ容器に関する。
【背景技術】
【０００２】
魚釣り等に使用される水汲み用の容器として、例えば、特許文献１に開示された構成が知られている。この容器は、容器本体の上部に設けられた帯状の挙げ手の中央部が、ホックや面ファスナー等の留め具によって容器本体の外周面に着脱可能に取り付けられており、挙げ手に固定したロープによって容器本体を吊り下げると、容器本体が横向きの姿勢で水中に沈下するように構成されている。
【０００３】
そして、ロープで容器本体を引き上げると、容器本体内の水の重量で留め具が外れて容器本体が縦向きの姿勢になり、水を汲み上げることができるとされている。
【先行技術文献】
【特許文献】
【０００４】
【特許文献１】特開平８−１４０５４７号公報
【発明の概要】
【発明が解決しようとする課題】
【０００５】
ところが、上記従来の容器は、留め具による挙げ手と容器本体との結合が強すぎると、容器本体の引き上げ時に留め具が外れずに容器本体が横向きの姿勢のまま上昇するおそれがあり、水を汲み上げることができないという問題があった。
【０００６】
一方、留め具による結合が弱すぎると、容器本体が着水する前に留め具が外れて容器本体が縦向きの姿勢になるおそれがあり、容器本体を水中に沈下させることが困難になるという問題があった。
【０００７】
そこで、本発明は、簡易な構成により流動体の汲み上げを容易且つ確実に行うことができる汲み上げ容器の提供を目的とする。
【課題を解決するための手段】
【０００８】
本発明の前記目的は、底部を有する容器本体と、前記容器本体を吊り下げ支持するための支持部とを備え、前記容器本体は、底部に導入口が形成されており、内部から前記導入口を覆うように、弾性変形可能なシート状の弁体が設けられている汲み上げ容器により達成される。
【０００９】
この汲み上げ容器において、前記弁体は、円板状に形成され、中心部が前記容器本体の底部に固定されることが好ましく、前記導入口は、前記弁体の中心部の周囲に複数配置されることが好ましい。また、前記容器本体は、蓋体を備えることが可能である。前記蓋体は、排出口が形成され、外部から前記排出口を覆うように弾性変形可能なシート状の弁体が設けられていることが好ましい。
【発明の効果】
【００１０】
本発明によれば、簡易な構成により流動体の汲み上げを容易且つ確実に行うことができる汲み上げ容器を提供することができる。
【図面の簡単な説明】
【００１１】
【図１】本発明の一実施形態に係る汲み上げ容器の側面図である。
【図２】図１に示す汲み上げ容器の底面図である。
【図３】図１に示す汲み上げ容器の使用方法を説明するための要部断面図である。
【図４】本発明の他の実施形態に係る汲み上げ容器の底面図である。
【図５】本発明の更に他の実施形態に係る汲み上げ容器の要部断面図である。
【発明を実施するための形態】
【００１２】
以下、本発明の実施の形態について、添付図面を参照して説明する。図１は、本発明の一実施形態に係る汲み上げ容器の側面図であり、図２は、この汲み上げ容器の底面図である。図１および図２に示すように、汲み上げ容器１は、容器本体１０と、容器本体１０を吊り下げ支持するための支持部２０とを備えている。容器本体１０は、自立可能な程度に剛性を有することが好ましい。
【００１３】
容器本体１０は、金属材料や合成樹脂材料等により円筒状に形成されており、上部に開口部１１を有している。容器本体１０の底部１２は、内面（上面）が平滑に形成されており、この内面側に弁体１３が設けられている。容器本体１０の形状は、必ずしも円筒状に限定されるものではなく、例えば、角筒状、異形筒状、筐体状など他の形状であってもよい。
【００１４】
弁体１３は、柔軟性および復元性を有する弾性変形可能なシート状（膜状）の部材であり、例えば、シリコーンゴム等の各種ゴムや、オレフィン系熱可塑性エラストマー等の各種エラストマーにより形成することができる。本実施形態の弁体１３は、円板状に形成されており、弁体１３の中心部が底部１２の中央にピン１４で固定されている。
【００１５】
底部１２において、ピン１４で固定された弁体１３の中心部の周囲には、扇形状の導入口１５が均等に複数形成されている。弁体１３は、容器本体１０の内部から導入口１５の全体を覆うように配置されており、弁体１３の周縁部が底部１２の内面に密着することで、導入口１５が閉止される。
【００１６】
支持部２０は、両端に係合部２１，２１を備えており、容器本体１０の上部に設けられた取付部１６，１６に係合部２１，２１がそれぞれ係合することで、支持部２０が容器本体１０に回動自在に取り付けられている。支持部２０の中央にはロープ３０の一端部を取り付けることができ、ロープ３０によって、底部１２を水平に維持しながら容器本体１０を吊り下げ支持することができる。
【００１７】
上記の構成を備える汲み上げ容器１は、液体を汲み上げるためにロープ３０を繰り出して容器本体１０を降下させると、図３（ａ）に示すように、容器本体１０の底部１２が液面Ｌに接触する。弁体１３は、容器本体１０の自重によって、液面Ｌから上方に向けた押圧力を受けるため、図３（ｂ）に示すように、弁体１３の周縁部が持ち上がるように弾性変形する。こうして導入口１５が開放されると、液体が導入口１５を介して容器本体１０の内部に導入される。容器本体１０の降下中は、導入口１５の開放状態が維持されるため、容器本体１０の内部全体に液体を導入することができる。
【００１８】
この後、ロープ３０を引き上げて容器本体１０を液中で上昇させると、図３（ｃ）に示すように、弁体１３は、容器本体１０内の液体によって下方への押圧力を受けるため、弁体１３の周縁部が底部１２の内面に密着して導入口１５が閉止される。これにより、容器本体１０を液中から引き上げた後も、容器本体１０内に液体を保持することができ、液体の汲み上げを行うことができる。
【００１９】
このように、本実施形態の汲み上げ容器１は、底部１２を水平状態に維持したまま容器本体１０の降下および上昇を行うことで、液体を汲み上げることができるので、汲み上げ作業を容易且つ確実に行うことができる。本実施形態においては、汲み上げ容器１を用いて液体を汲み上げる場合を説明したが、液体以外に、粉体、粒体、ゲル状体、スラリー状体、泥状体などの流動体の汲み上げに使用することも可能である。
【００２０】
また、弁体１３を円板状に形成して、中心部を容器本体１０の底部１２の中央に固定しているため、各導入口１５から容器本体１０の内部に液体が均一に導入される。したがって、容器本体１０が液中で降下する際に、容器本体１０の姿勢が不意に傾くおそれがないため、この点からも液体の汲み上げを確実に行うことができる。
【００２１】
但し、弁体１３の形状や配置等は、必ずしも本実施形態の構成に限定されるものではなく、容器本体１０の内部から導入口１５を覆うように弁体１３が配置されていれば、他の形状等であってもよい。例えば、図４に示すように、矩形状の底部１２の四隅近傍にそれぞれ形成された各導入口１５に対して、複数の弁体１３を個別に配置してもよい。なお、図４において図１から図３と同様の構成部分には、同一の符号を付している（後述する図５においても同様）。
【００２２】
本発明の汲み上げ容器は、魚釣り用として使用可能であるが、必ずしもこの用途に限定されるものではなく、例えば、池、湖沼、ダム、貯水槽等から液体等の流動体を採取するためのサンプリング容器として、好適に使用することができる。
【００２３】
本実施形態の汲み上げ容器１は、図５に示すように、容器本体１０の開口部１１に着脱可能に装着される蓋体４０を備える構成であってもよい。蓋体４０の外面（上面）には弁体４１が設けられており、弁体４１の中心部が蓋体４０の中央にピン４２で固定されている。蓋体４０におけるピン４２の周囲には、排出口４３が均等に複数形成されている。弁体４１は、排出口４３の全体を覆うように配置されており、弁体４１の周縁部が蓋体４０の外面に密着することで、排出口４３が閉止される。
【００２４】
図５に示す汲み上げ容器１によれば、液中における容器本体１０の降下中は、図２（ｂ）に示す場合と同様に弁体１３が上方に開いて、液体が導入口１５を介して容器本体１０の内部に導入される。また、これと同時に蓋体４０の弁体４１が上方に開いて、容器本体１０内の液体が排出口４３から排出される。こうして、容器本体１０内の液体は、容器本体１０の降下によって変化する深さ位置に応じたものに連続的に置き換えられる。そして、容器本体１０を引き上げる際には、図５に示すように、底部１２および蓋体４０の弁体１３，４１が、それぞれ導入口１５および排出口４３を閉止するため、容器本体１０内の液体が保持される。
【００２５】
このように、図５に示す汲み上げ容器１は、液中における容器本体１０の降下深さを制御することで、所望の深さにおける液体のみを確実に採取することができるので、このような用途に使用するサンプリング容器として好適である。
【符号の説明】
【００２６】
１  汲み上げ容器
１０  容器本体
１２  底部
１３  弁体
１５  導入口
２０  支持部
４０  蓋体
４１  弁体
４３  排出口
【図１】
2018042467.tif 000003
【図２】
2018042467.tif 000004
【図３】
2018042467.tif 000005
【図４】
2018042467.tif 000006
【図５】
2018042467.tif 000007